【手続補正書】
【提出日】平成29年5月10日(2017.5.10)
【手続補正１】
【補正対象書類名】特許請求の範囲
【補正対象項目名】全文
【補正方法】変更
【補正の内容】
【特許請求の範囲】
【請求項１】
プロキシミティサービス（Ｐｒｏｘｉｍｉｔｙ  Ｓｅｒｖｉｃｅｓ（ＰｒｏＳｅ））の直接ディスカバリのための通信システムであって、
前記ＰｒｏＳｅをサポートする第一のＵＥ（Ｕｓｅｒ  Ｅｑｕｉｐｍｅｎｔ）と、
前記ＰｒｏＳｅをサポートする第二のＵＥと、
少なくともＰｒｏＳｅファンクションとＰｒｏＳｅアプリケーションサーバとを含むネットワークとを有し、
前記第一のＵＥは、第一の情報を含む前記直接ディスカバリのための要求を前記ネットワークに送り、
前記ネットワークは前記第一のＵＥと前記第二のＵＥをチェックし、前記第一のＵＥに応答し、
前記第一のＵＥは、ＰＣ５インターフェースを介して第二のＵＥにメッセージをブロードキャストし、
前記第二のＵＥは、前記メッセージを受信し、前記ネットワークから提供された第二の情報に基づき前記メッセージを検証する、
通信システム。
【請求項２】
前記第一の情報は、前記第一のＵＥのＵＥＩＤを含む、請求項１記載の通信システム。
【請求項３】
前記第一のＵＥは、前記ネットワークにより前記直接ディスカバリを利用することの承認を得る、請求項１記載の通信システム。
【請求項４】
前記第一のＵＥは、“Ｉ  ａｍ  ｈｅｒｅ”に関する前記メッセージをブロードキャストする、請求項１記載の通信システム。
【請求項５】
通信システムにおけるプロキシミティサービス（Ｐｒｏｘｉｍｉｔｙ  Ｓｅｒｖｉｃｅｓ（ＰｒｏＳｅ））の直接ディスカバリ方法であって、
前記通信システムは、
前記ＰｒｏＳｅをサポートする第一のＵＥ（Ｕｓｅｒ  Ｅｑｕｉｐｍｅｎｔ）と、
前記ＰｒｏＳｅをサポートする第二のＵＥと、
少なくともＰｒｏＳｅファンクションとＰｒｏＳｅアプリケーションサーバとを含むネットワークとを有し、
前記第一のＵＥにおいて、第一の情報を含む前記直接ディスカバリのための要求を前記ネットワークに送り、
前記ネットワークにおいて、前記第一のＵＥと前記第二のＵＥをチェックし、前記第一のＵＥに応答し、
前記第一のＵＥにおいて、ＰＣ５インターフェースを介して第二のＵＥにメッセージをブロードキャストし、
前記第二のＵＥにおいて、前記メッセージを受信し、前記ネットワークから提供された第二の情報に基づき前記メッセージを検証する、
ＰｒｏＳｅの直接ディスカバリ方法。
【請求項６】
前記第一の情報は、前記第一のＵＥのＵＥＩＤを含む、請求項５記載のＰｒｏＳｅの直接ディスカバリ方法。
【請求項７】
前記第一のＵＥは、前記ネットワークにより前記直接ディスカバリを利用することの承認を得る、請求項５記載のＰｒｏＳｅの直接ディスカバリ方法。
【請求項８】
前記第一のＵＥは、“Ｉ  ａｍ  ｈｅｒｅ”に関する前記メッセージをブロードキャストする、請求項５記載のＰｒｏＳｅの直接ディスカバリ方法。
【請求項９】
プロキシミティサービス（Ｐｒｏｘｉｍｉｔｙ  Ｓｅｒｖｉｃｅｓ（ＰｒｏＳｅ））の直接ディスカバリのためのＰｒｏＳｅファンクションとＰｒｏＳｅアプリケーションサーバとを少なくとも含むネットワークであって、
前記ＰｒｏＳｅをサポートする第一のＵＥ（Ｕｓｅｒ  Ｅｑｕｉｐｍｅｎｔ）から、第一の情報を含む前記直接ディスカバリのための要求を受信する受信部と、
前記第一のＵＥと前記ＰｒｏＳｅをサポートする第二のＵＥをチェックし、前記第一のＵＥに応答する制御部と、
を備え、
前記第一のＵＥは、ＰＣ５インターフェースを介して、前記第二のＵＥにメッセージをブロードキャストし、
前記第二のＵＥは、前記メッセージを受信し、前記ネットワークから提供された第二の情報に基づき前記メッセージを検証する、
ネットワーク。
【請求項１０】
前記第一の情報は、前記第一のＵＥのＵＥＩＤを含む、請求項９記載のネットワーク。
【請求項１１】
前記第一のＵＥは、前記ネットワークにより前記直接ディスカバリを利用することの承認を得る、請求項９記載のネットワーク。
【請求項１２】
前記第一のＵＥは、“Ｉ  ａｍ  ｈｅｒｅ”に関する前記メッセージをブロードキャストする、請求項９記載のネットワーク。
【請求項１３】
プロキシミティサービス（Ｐｒｏｘｉｍｉｔｙ  Ｓｅｒｖｉｃｅｓ（ＰｒｏＳｅ））ファンクションとＰｒｏＳｅアプリケーションサーバとを少なくとも含むネットワークのＰｒｏＳｅの直接ディスカバリ方法であって、
前記ＰｒｏＳｅをサポートする第一のＵＥ（Ｕｓｅｒ  Ｅｑｕｉｐｍｅｎｔ）から、第一の情報を含む前記直接ディスカバリのための要求を受信し、
前記第一のＵＥと前記ＰｒｏＳｅをサポートする第二のＵＥをチェックし、前記第一のＵＥに応答し、
前記第一のＵＥは、ＰＣ５インターフェースを介して、前記第二のＵＥにメッセージをブロードキャストし、
前記第二のＵＥは、前記メッセージを受信し、前記ネットワークから提供された第二の情報に基づき前記メッセージを検証する、
ＰｒｏＳｅの直接ディスカバリ方法。
【請求項１４】
前記第一の情報は、前記第一のＵＥのＵＥＩＤを含む、請求項１３記載のＰｒｏＳｅの直接ディスカバリ方法。
【請求項１５】
前記第一のＵＥは、前記ネットワークにより前記直接ディスカバリを利用することの承認を得る、請求項１３記載のＰｒｏＳｅの直接ディスカバリ方法。
【請求項１６】
前記第一のＵＥは、“Ｉ  ａｍ  ｈｅｒｅ”に関する前記メッセージをブロードキャストする、請求項１３記載のＰｒｏＳｅの直接ディスカバリ方法。
【請求項１７】
プロキシミティサービス（Ｐｒｏｘｉｍｉｔｙ  Ｓｅｒｖｉｃｅｓ（ＰｒｏＳｅ））の直接ディスカバリのための前記ＰｒｏＳｅをサポートするＵＥ（Ｕｓｅｒ  Ｅｑｕｉｐｍｅｎｔ）であって、
ＰｒｏＳｅファンクションとＰｒｏＳｅアプリケーションサーバとを少なくとも含むネットワークへ、第一の情報を含む前記直接ディスカバリのための要求を送信し、ＰＣ５インターフェースを介して、前記ＰｒｏＳｅをサポートする他のＵＥへメッセージをブロードキャストする送信部と、
前記ＵＥと前記他のＵＥとをチェックする前記ネットワークからの応答を受信する受信部と、を備え、
前記他のＵＥは、前記メッセージを受信し、前記ネットワークから提供された第二の情報に基づき前記メッセージを検証する、
ＵＥ。
【請求項１８】
前記第一の情報は、前記ＵＥのＵＥＩＤを含む、請求項１７記載のＵＥ。
【請求項１９】
前記ＵＥは、前記ネットワークにより前記直接ディスカバリを利用することの承認を得る、請求項１７記載のＵＥ。
【請求項２０】
前記ＵＥは、“Ｉ  ａｍ  ｈｅｒｅ”に関する前記メッセージをブロードキャストする、請求項１７記載のＵＥ。
【請求項２１】
プロキシミティサービス（Ｐｒｏｘｉｍｉｔｙ  Ｓｅｒｖｉｃｅｓ（ＰｒｏＳｅ））をサポートするＵＥ（Ｕｓｅｒ  Ｅｑｕｉｐｍｅｎｔ）のＰｒｏＳｅの直接ディスカバリ方法であって、
ＰｒｏＳｅファンクションとＰｒｏＳｅアプリケーションサーバとを少なくとも含むネットワークへ、第一の情報を含む前記直接ディスカバリのための要求を送信し、
ＰＣ５インターフェースを介して、前記ＰｒｏＳｅをサポートする他のＵＥへメッセージをブロードキャストし、
前記ＵＥと前記他のＵＥとをチェックする前記ネットワークからの応答を受信し、
前記他のＵＥは、前記メッセージを受信し、前記ネットワークから提供された第二の情報に基づき前記メッセージを検証する、
ＰｒｏＳｅの直接ディスカバリ方法。
【請求項２２】
前記第一の情報は、前記ＵＥのＵＥＩＤを含む、請求項２１記載のＰｒｏＳｅの直接ディスカバリ方法。
【請求項２３】
前記ＵＥは、前記ネットワークにより前記直接ディスカバリを利用することの承認を得る、請求項２１記載のＰｒｏＳｅの直接ディスカバリ方法。
【請求項２４】
前記ＵＥは、“Ｉ  ａｍ  ｈｅｒｅ”に関する前記メッセージをブロードキャストする、請求項２１記載のＰｒｏＳｅの直接ディスカバリ方法。
【手続補正２】
【補正対象書類名】明細書
【補正対象項目名】発明の名称
【補正方法】変更
【補正の内容】
【発明の名称】通信システム、ネットワーク及びＵＥ並びにそれらのＰｒｏＳｅの直接ディスカバリ方法
【手続補正３】
【補正対象書類名】明細書
【補正対象項目名】００１５
【補正方法】変更
【補正の内容】
【００１５】
ProSe 直接通信（Direct Communication）: 
任意のネットワークノード行き来しない経路を介したE-UTRAN技術を用いるユーザプレーン送信によって、ProSe可能な（ProSe-enabled）近接内の２以上のＵＥの間での通信。
【手続補正４】
【補正対象書類名】明細書
【補正対象項目名】００２５
【補正方法】変更
【補正の内容】
【００２５】
図２は、本発明の実施形態にかかるセキュア通信を行う方法を提供するシステムの例を示す模式図である。図２に示すように、システム１０は、ＵＥ１１、ＵＥ１２、E-UTRAN１３、ＥＰＣ１４、ProSe機能１５、ProSeアプリケーションサーバ１６、ProSeアプリケーション１７、及びProSeアプリケーション１８を備える。
【手続補正５】
【補正対象書類名】明細書
【補正対象項目名】００２６
【補正方法】変更
【補正の内容】
【００２６】
ＵＥ１１及びＵＥ１２は、ＰＣ５を介して通信可能であり、ＵＥ１１及びE-UTRAN１３は、LTE-Uu1を介して通信し、ＵＥ１２は、LTE-Uu2及びＰＣ３のそれぞれを介してE-UTRAN１３及びProSe機能１５と通信可能である。ＥＰＣ１４及びProSe機能１５は、ＰＣ４を介して通信可能であり、ProSeアプリケーションサーバ１６は、SG1及びＰＣ１のそれぞれを介してEPC１４及びProSeアプリケーション１８と通信可能であり、ProSe機能１５は、ＰＣ６を介して自身により通信可能である。
【手続補正６】
【補正対象書類名】明細書
【補正対象項目名】００２２
【補正方法】変更
【補正の内容】
【００２２】
ProSe通信に関わるＵＥ１１及び１２が異なるｅＮＢ１９、２０により提供され、ネットワークカバレッジが利用可能である場合、システム１００ｂは、図１Ｂに実線矢印により示されるように、ＵＥ１１、１２、ｅＮＢ１９及びＥＰＣ１４（例えば、セッション管理、承認、セキュリティ）の間で交換される制御情報を用いたProSe通信を実行することを決定できる。この構成において、ｅＮＢ１９及び２０は、図１ＢにｅＮＢ１９及び２０の間の破線矢印により示されるように、ＥＰＣ１４を介して互いに連携し、又は、無線リソース管理について直接通信できる。課金のために、シグナリングの修正が既存のアーキテクチャに関して最小化される。ＵＥ１１及び１２は、図１ＢにＵＥ１１及び１２の間の破線矢印により示されるように、ProSe通信経路を経由した制御シグナリングを併せて交換できる。
【手続補正７】
【補正対象書類名】明細書
【補正対象項目名】００８４
【補正方法】変更
【補正の内容】
【００８４】
各ケースにおいて、ProSeサーバ又は要求ＵＥ＿Ｌ０１のいずれかは、鍵を送信する。例えば、ProSeサーバは、要求ＵＥ＿Ｌ０１及び受信ＵＥ(群)Ｌ０３へ鍵Ｋｐを送信し、要求ＵＥ＿Ｌ０１は、セッションごとに受信ＵＥ＿Ｌ０３(群)へセッション鍵を送信する。あるいは、 ProSeサーバは、鍵Ｋｐ及びセッション鍵の両方を要求ＵＥ＿Ｌ０１及び受信ＵＥ（群）Ｌ０３へ送信し、又は、要求ＵＥ＿Ｌ０１は、鍵Ｋｐ及びセッション鍵の両方を受信ＵＥ（群）Ｌ０３へ送信する。
【手続補正８】
【補正対象書類名】明細書
【補正対象項目名】０１１３
【補正方法】変更
【補正の内容】
【０１１３】
１  セキュアシステム
１０  システム
１１  ＵＥ
１２  ＵＥ
１３  E-UTRAN
１４  EPC
１５  ProSe機能
１６  ProSe APPサーバ
１７  ProSe APP
１８  ProSe APP
１９  eNB
２０  eNB
２１  UEa
２２  UEb
２４  ProSeサーバ
２５  ＨＳＳ
３１  UEa
３２  UEb
３３  UEc
３３ｎ  UEn
１００  UE
１００ａ  システム
１００ｂ  システム
２００  ネットワーク
Ｌ０１  要求ＵＥ
Ｌ０２  オペレータネットワーク
Ｌ０３  受信ＵＥ
Ｌ１  セキュアグループ管理
Ｌ２  セキュアディスカバリ
Ｌ３  初期承認
Ｌ４  認証
Ｌ５  承認
Ｌ６  セキュリティ接続確立
Ｌ７  セキュア通信
Ｌ８  ターミネーション
【手続補正９】
【補正対象書類名】図面
【補正対象項目名】図２
【補正方法】変更
【補正の内容】
【図２】
2016530732.tif 000001